(57)【要約】【課題】内部電池のバッテリー残量を使用したときの輝度及びその輝度における視聴可能時間をユーザーが選択できる表示装置を提供する。【解決手段】図５（２）に示す画面は、内部電池のバッテリー残量により算出された複数パターンの輝度とその輝度における視聴可能時間を、ユーザーが視聴している図５（１）に示すコンテンツの画面に重ねて表示したものである。図５（２）の輝度ポイントエリア１１から輝度ポイントエリア１４に対応する位置するＬＥＤにより、これらのエリアの上に同じ輝度の短冊形状のエリアが表示されるので、各々のパターンによってユーザーが視聴しているコンテンツがどのような輝度で表示されるかを実際に確認することができる。ユーザーがいずれかを輝度ポイントエリアを選択してポイントすると、ポイントされたエリアの輝度で画面が再表示され、また、その輝度における視聴可能時間までコンテンツの表示が可能となる。【選択図】図５
2014182193.tif 000002
【特許請求の範囲】
【請求項１】
複数のＬＥＤを配置してなるＬＥＤバックライトを備え内蔵バッテリーで駆動可能な表示装置において、
複数のエリアに分割された前記ＬＥＤバックライトの輝度の少なくとも一つが、該輝度に対する内蔵バッテリーの動作可能時間に関連づけて設定されることを特徴とする表示装置。
【請求項２】
前記動作可能時間を対応する前記エリアに表示することを特徴とする請求項１に記載の表示装置。
【請求項３】
前記エリアは短冊形状であることを特徴とする請求項１に記載の表示装置。
【請求項４】
前記エリアはコンテンツに重ねて表示されることを特徴とする請求項１から請求項３のいずれか１項に記載の表示装置。
【請求項５】
複数のＬＥＤを配置してなるＬＥＤバックライトを備えた内蔵バッテリーで駆動可能な表示装置において、
複数のエリアに分割されたＬＥＤバックライトの輝度の少なくとも一つが、該輝度に対する内蔵バッテリーの動作可能時間に関連づけて設定されることを特徴とする表示装置のバックライト制御方法。
【発明の詳細な説明】
【技術分野】
【０００１】
本発明は、バックライトを制御できる表示装置に係り、特に充電が可能な内蔵バッテリーを備え、内蔵バッテリーに蓄積された使用可能な電力量（以下、「バッテリー残量」という）に応じてバックライトを制御する表示装置、及び表示装置のバックライト制御方法に関する。
【背景技術】
【０００２】
テレビジョン（以下、「ＴＶ」という）装置などの表示装置は、商用電源などの外部電源から電力が供給されるだけでなく、内蔵バッテリー（以下、「内部電池」という）を備え、この内部電池からも電力の供給が可能のものもある。内部電池から電力が供給されるときには、外部電源の位置を考慮せずに、ユーザーが移動したい場所に表示装置を携帯してＴＶ番組、ビデオ、及びＷeｂの映像（以下、「コンテンツ」という）を視聴することができる。しかし、近年、テレビの薄型軽量化が進み、大型サイズでも、持ち運び可能で、どこでも視聴できるようにするため、バッテリー搭載したテレビが普及されつつある。表示サイズが大型であるほど、内部電池から電力が供給されるときには、内部電池のバッテリー残量により、コンテンツを表示できる時間が制限されてしまう。このため、バッテリー残量が少ない内部電池では、コンテンツを最後まで視聴したいときに、消費電力を低い状態で駆動するように切り替える必要がある。
【０００３】
表示装置の電力の消費を低減させる技術として特開２０１０−１６０４６９号公報（特許文献１）と特開２０１１−３３９７８号公報（特許文献２）を挙げることができる。特許文献１に開示の技術では、使用者の要求により選択された映像を表示するために必要となる予想消費電力とバッテリー残量とを比較して予想消費電力がバッテリー残量を超える場合、選択された映像の赤色、緑色及び青色階調を変更して映像の輝度を制御することによって、バッテリー残量が不足している場合でも使用者が要求した映像を最後まで表示する表示装置及びその駆動方法が記載されている。また、特許文献２に開示の技術では、全表示画面領域を複数の表示区画に分割し、全表示画面領域よりも小さな縮小表示領域に映像を表示し、縮小表示領域の少なくとも一部を包含する表示区画についてはエリアアクティブバックライトとし、縮小表示領域を包含しない表示区画についてはバックライトを消灯することで、消費電力を低減する液晶映像表示装置及びその表示制御方法が記載されている。
【先行技術文献】
【特許文献】
【０００４】
【特許文献１】特開２０１０−１６０４６９号公報
【特許文献２】特開２０１１−３３９７８号公報
【発明の概要】
【発明が解決しようとする課題】
【０００５】
特許文献１に開示の技術では、映像の輝度を制御することで使用者が要求した映像を最後まで表示されるように消費電力を削減することができる。しかし、ユーザーは、要求した映像については最後まで表示することができるが、バックライトの輝度を指定することはできない。またユーザーは、バッテリー残量がなくなるまでの残り表示時間を知ることができない。
特許文献２に開示の技術では、全画面領域を複数の表示区画に分割し、全表示画面よりも小さな縮小表示領域に映像表示を制限することで、表示しない部分のバックライトを消灯してバックライトの消費電力を低減することができる。しかし、液晶映像表示装置が内蔵バッテリーから電力を供給されている場合に、ユーザーはバックライトの輝度を指定することはできない。また、バッテリー残量がなくなるまでの残り表示時間を知ることができない。
【０００６】
本発明はこのような状況に鑑みてなされたものであり、上記課題を解決できる表示装置を提供することを目的とする。
【課題を解決するための手段】
【０００７】
本発明の表示装置は、複数のＬＥＤを配置してなるＬＥＤバックライトを備え内蔵バッテリーで駆動可能な表示装置において、複数のエリアに分割された前記ＬＥＤバックライトの輝度の少なくとも一つが、該輝度に対する内蔵バッテリーの動作可能時間に関連づけて設定されることを特徴としている。
また、本発明の表示装置は、前記動作可能時間を対応する前記エリアに表示することを特徴としている。
また、本発明の表示装置の前記エリアは短冊形状であることを特徴としている。
また、本発明の表示装置の前記エリアはコンテンツに重ねて表示されることを特徴としている。
本発明の表示装置のバックライト制御方法は、複数のＬＥＤを配置してなるＬＥＤバックライトを備えた内蔵バッテリーで駆動可能な表示装置において、複数のエリアに分割されたＬＥＤバックライトの輝度の少なくとも一つが、該輝度に対する内蔵バッテリーの動作可能時間に関連づけて設定されることを特徴としている。
【発明の効果】
【０００８】
本発明により、内部電池から電力供給が可能な表示装置において、外部からの電力供給が停止し内部電池のバッテリー残量で駆動しているときに、ユーザー自身が選択した最適な輝度と時間で駆動できる表示装置、及び表示装置のバックライト制御方法を提供する。
【図面の簡単な説明】
【０００９】
【図１】本発明の実施形態に係る表示装置の構成を示す図である。
【図２】本発明の実施形態に係る複数のエリアに分割されたエッジ型ＬＥＤバックライトにおける輝度制御を示す図である。
【図３】本発明の実施形態に係る内部電池視聴制御処理のフローチャートである。
【図４】本発明の実施形態に係る輝度制御における自動調整またはユーザー選択調整のいずれかを設定する設定画面を示す図である。
【図５】本発明の実施形態に係るユーザー選択調整における輝度に対する視聴可能時間を表示する画面を示す図である。
【図６】本発明の実施形態に係る内部電池の電源がオフするまでの時間におけるバックライト制御による消費電力の変化を示す図である。
【図７】本発明の実施形態に係るユーザー選択調整における内部電池のバッテリー残量の余力を使用したときの輝度とその輝度に対する視聴可能時間を表示する画面を示す図である。
【発明を実施するための形態】
【００１０】
以下、本発明を実施するための形態（以下、「実施形態」という）を、図面を参照して説明する。実施形態の表示装置は、内部電池と、複数のＬＥＤを配置してなるエッジ型ＬＥＤバックライトとを備え、内部電池で駆動しているときにエッジ型ＬＥＤバックライトの輝度制御を自動調整またはユーザー選択調整のいずれかを設定することができる。また、ユーザー選択調整が設定されているときには、内部電池のバッテリー残量を使用したときのエッジ型ＬＥＤバックライトの輝度及びその輝度における視聴可能時間について複数のパターンを表示し、ユーザーが選択した輝度及びその輝度における視聴可能時間までコンテンツの視聴を可能とするものである。
【００１１】
実施形態における表示装置１００の各機能について、図１を用いて説明する。表示装置１００は、映像入力処理部１１０、制御部１２０、内部電池１３０、エッジ型ＬＥＤバックライトドライバ１４０、エッジ型ＬＥＤバックライト１５０、表示パネル１６０、及び記憶部１７０を備えている。制御部１２０は、内部電池視聴制御処理部１２０ａを備えている。記憶部１７０は、ＥＰＧ情報保存エリア１７０ａとオフタイマ情報保存エリア１７０ｂを備えている。
【００１２】
映像入力処理部１１０は、受信した映像信号から視聴するコンテンツの映像データを抽出すると制御部１２０に出力する。
【００１３】
制御部１２０は、表示装置１００全体の制御を行うマイクロコンピュータなどから構成されている。制御部１２０は、Active Backlight（以下、「ＡＢＬ」という）またはLocal Dimming（以下、「ＬＤ」という）の輝度制御信号をエッジ型ＬＥＤバックライトドライバ１４０に出力する。制御部１２０は、表示パネル１６０を制御しながら映像データを表示するための表示制御信号を表示パネル１６０に出力する。また、制御部１２０は、外部電源（図示せず）が消失することで、外部電源から内部電池１３０に切り替わったときに、内部電池１３０のバッテリー残量に基づいてバックライトの輝度を制御する内部電池視聴制御処理部１２０ａを備えている。内部電池視聴制御処理部１２０ａが行う処理の詳細については、後述する。
【００１４】
内部電池１３０は、表示装置１００の内蔵バッテリーであり、外部電源の消失による電力の供給停止を検知すると、電力が必要な箇所に自動的に電力の供給を開始する。
【００１５】
エッジ型ＬＥＤバックライトドライバ１４０は、制御部１２０からＬＥＤ制御信号を入力すると、エッジ型ＬＥＤバックライト１５０の輝度制御を行う。また、エッジ型ＬＥＤバックライトドライバ１４０は、複数のエリアに分割されたエッジ型ＬＥＤバックライト１５０のエリア毎に同じ輝度となるように輝度制御が可能である。複数のエリアに分割されたエッジ型ＬＥＤバックライト１５０における輝度制御について、図２に示す例を用いて説明する。従来のエッジ型ＬＥＤのバックライトは、図２（１）に示すようにエッジ型ＬＥＤ毎に制御していた。しかし、実施形態のエッジ型ＬＥＤのバックライト１５０は、図２（２）に示すように２個のエッジ型ＬＥＤのバックライトを同時に制御、または図２（３）に示すように３個のエッジ型ＬＥＤのバックライトを同時に制御することができる。更に、２個のエッジ型ＬＥＤまたは３個のエッジ型ＬＥＤの間にバックライトが制御されないエッジ型ＬＥＤを設けることができる。このように、エッジ型ＬＥＤ毎にエッジ型ＬＥＤのバックライトを制御するのでなく、複数のエッジ型ＬＥＤのバックライトをエリア毎にまとめて制御することで、エッジ型ＬＥＤバックライト１５０を複数エリアに対応する複数の輝度で表示することができる。
【００１６】
エッジ型ＬＥＤバックライト１５０は、エッジ型ＬＥＤバックライトドライバ１４０によるＬＥＤの輝度制御に基づいてＬＥＤの輝度を調整する。
【００１７】
表示パネル１６０は、制御部１２０から映像データの１ライン分のデータを順に取り出し、表示パネル１６０の最上部ラインから順に表示する。
【００１８】
記憶部１７０は制御部１２０が実行するプログラムやこのプログラムにて用いられるデータ、表示装置１００の基本機能を実現するためのプログラムを記憶する。また、記憶部１７０は、電子番組表であるＥＰＧ（Electronic Program Guide）情報が保存されるＥＰＧ情報保存エリア１７０ａと、表示装置１００の電源がオフされる予定時刻であるオフタイマ情報が保存されるオフタイマ情報保存エリア１７０ｂを備えている。
【００１９】
次に、内部電池視聴制御処理部１２０ａが実行する内部電池視聴制御処理について、図３を用いて説明する。制御部１２０が外部電源から内部電池１３０に切り替わったことを検出すると、内部電池視聴制御処理部１２０ａを起動する。この起動により、内部電池視聴制御処理部１２０ａが内部電池視聴制御処理を開始する。
【００２０】
まず、ステップＳ１０において、内部電池視聴制御処理部１２０ａは、ＥＰＧ情報保存エリア１７０ａからユーザーが視聴しているコンテンツの終了時刻を取り出し、現在時刻との差である視聴コンテンツ残時間を算出する。また、内部電池視聴制御処理部１２０ａは、オフタイマ情報保存エリア１７０ｂからオフタイマを取り出し、現在時刻との差であるオフタイマ残時間を算出する。次に、内部電池視聴制御処理部１２０ａは、視聴コンテンツ残時間とオフタイマ残時間を比較して長い方の時間を視聴残時間（ｔ１）とする。
【００２１】
次いでステップＳ２０において、内部電池視聴制御処理部１２０ａは、内部電池１３０からバッテリー残量を入力する。次に、内部電池視聴制御処理部１２０ａは、バッテリー残量から現在の輝度の状態で換算した視聴可能時間（ｔ２）を算出する。
【００２２】
次いでステップＳ３０において、内部電池視聴制御処理部１２０ａは、視聴残時間（ｔ１）が視聴可能時間（ｔ２）より大きいかを判定する。視聴残時間（ｔ１）が視聴可能時間（ｔ２）より大きいとき（ステップＳ３０のＹｅｓ）は、ステップＳ４０に進む。また、視聴残時間（ｔ１）が視聴可能時間（ｔ２）より小さいとき（ステップＳ３０のＮｏ）は、ステップＳ１２０に進む。
【００２３】
次いでステップＳ４０において、内部電池視聴制御処理部１２０ａは、視聴残時間（ｔ１）までユーザーが視聴できるように輝度制御を行う場合に、輝度制御を自動調整またはユーザー選択調整のいずれで行うかを判定する。輝度制御を自動調整で行うとき（ステップＳ４０のＹｅｓ）は、ステップＳ５０に進む。また、輝度制御をユーザー選択調整で行うとき（ステップＳ４０のＮｏ）は、ステップＳ９０に進む。
【００２４】
なお、輝度制御を自動調整またはユーザー選択調整のいずれで行うかの判定は、例えば、図４に示すような画面を表示し、自動調整またはユーザー選択調整のいずれで行うかをユーザーに設定させることで判定することができる。また、予めユーザーにより画面から設定された自動調整またはユーザー選択調整のいずれで行うかの情報を記憶部１７０に保存し、記憶部１７０からこの情報を取り出して判定することも可能である。図４に示す画面の詳細については、後述する。
【００２５】
次いでステップＳ５０において、内部電池視聴制御処理部１２０ａは、視聴残時間（ｔ１）まで視聴可能となるように輝度制御信号をエッジ型ＬＥＤバックライトドライバ１４０に出力することで、自動調整による輝度制御を行う。
【００２６】
次いでステップＳ６０において、内部電池視聴制御処理部１２０ａは、ステップＳ５０またはステップ１１０で行われた輝度制御により、ＡＢＬまたはＬＤなどの設定変更が必要であるかを判定する。設定変更の必要が有るとき（ステップＳ６０のＹｅｓ）は、ステップＳ２０に戻る。また、設定変更の必要が無いとき（ステップＳ６０のＮｏ）は、ステップＳ７０に進む。
【００２７】
次いでステップＳ７０において、内部電池視聴制御処理部１２０ａは、自動調整における視聴可能時間、またはユーザー選択調整における選択されたパターンの視聴可能時間が経過するまで待ち状態とし、視聴可能時間が経過するとステップＳ８０に進む。
【００２８】
次いでステップＳ８０において、視聴残時間の経過により内部電池１３０からの電力の供給が停止され、内部電池視聴制御処理部１２０ａによる内部電池視聴制御処理が終了する。
【００２９】
次いでステップＳ９０（ステップＳ４０のＮｏ）において、内部電池視聴制御処理部１２０ａは、ユーザー選択調整を行うために、内部電池１３０のバッテリー残量を使用したときの輝度とその輝度における視聴可能時間を表示パネル１６０に表示する。輝度とその輝度における視聴可能時間は、図５（２）に示すように現在表示されているコンテンツの画面に重ねて、複数のパターンの輝度とその輝度における視聴可能時間が表示される。図５に示す画面の詳細については、後述する。
【００３０】
次いでステップＳ１００において、内部電池視聴制御処理部１２０ａは、図５の画面からユーザーが選択した輝度とその輝度における視聴可能時間のパターンを入力する。
【００３１】
次いでステップＳ１１０において、内部電池視聴制御処理部１２０ａは、ユーザーが選択したパターンの輝度となるような輝度制御信号をエッジ型ＬＥＤバックライトドライバ１４０に出力することで、輝度制御を行う。
【００３２】
次いでステップＳ１２０（ステップＳ３０のＮｏ）において、内部電池視聴制御処理部１２０ａは、視聴残時間（ｔ１）が経過するまで待ち状態とし、視聴残時間（ｔ１）が経過するとステップＳ１３０に進む。
【００３３】
次いでステップＳ１３０において、内部電池視聴制御処理部１２０ａは、次に視聴するコンテンツが指定されたかを判定する。次に視聴するコンテンツが指定されたとき（ステップＳ１３０のＹｅｓ）は、ステップＳ１０に戻る。また、次に視聴するコンテンツが指定されないとき（ステップＳ１３０のＮｏ）は、ステップＳ１４０に進む。
【００３４】
次いでステップＳ１４０において、内部電池視聴制御処理部１２０ａは、電力供給を停止する指令を内部電池１３０に出力すると、内部電池１３０からの電力の供給が停止され、内部電池視聴制御処理部１２０ａによる内部電池視聴制御処理が終了する。
【００３５】
次に、輝度制御を自動調整またはユーザー選択調整のいずれで行うかをユーザーに設定させるための画面について、図４を用いて説明する。図４に示す画面には「設定」エリアが設けられ、「設定」エリアをポイントすると「外部電源消失（内部電池の駆動）時の設定」のプルダウンメニューが表示される。次いで、「外部電源消失（内部電池の駆動）時の設定」エリアをポイントすると、「自動輝度調整」と「ユーザー選択調整」のプルダウンメニューが表示される。ユーザーが「自動輝度調整」をポイントすると、輝度制御が自動で行われる設定となる。また、ユーザーが「ユーザー選択調整」をポイントすると、ユーザーが選択したパターンによる輝度制御が行われる設定となる。
【００３６】
次に、ユーザー選択調整を行うために、内部電池１３０のバッテリー残量を使用したときの輝度とその輝度における視聴可能時間を表示する画面について、図５を用いて説明する。図５（１）に示す表示画面は、輝度とその輝度における視聴可能時間を表示する以前の画面である。図５（２）に示す画面は、複数のパターンの輝度とその輝度における視聴可能時間を図５（１）の画面に重ねて表示した画面である。図５（２）では、パターン１からパターン４の４つのパターンが表示されている。パターン１の輝度ポイントエリア１１に位置するＬＥＤが４つのパターンの中で最も輝度が高く（明るく）制御されるので、パターン１の輝度における視聴可能時間は最も短い１０分となる。パターン２の輝度ポイントエリア１２に位置するＬＥＤの輝度は、パターン１の輝度より低く（暗く）制御されるので、パターン２の輝度における視聴可能時間はパターン１より長い３０分となる。パターン３の輝度ポイントエリア１３に位置するＬＥＤの輝度は、パターン２の輝度より低く制御されるので、パターン３の輝度における視聴可能時間はパターン２より長い４５分となる。パターン４の輝度ポイントエリア１４に位置するＬＥＤの輝度は、パターン３の輝度より低く制御されるので、パターン４の輝度における視聴可能時間はパターン３より長い１時間となる。
【００３７】
また、パターン１の輝度ポイントエリア１１、パターン２の輝度ポイントエリア１２、パターン３の輝度ポイントエリア１３、及びパターン４の輝度ポイントエリア１４にエリア分割されたエッジ型ＬＥＤバックライト１５０により、これらのエリアの上に同じ輝度の短冊形状のエリアが表示されるので、各々のパターンによってユーザーが視聴しているコンテンツがどのような輝度で表示されるかを実際に確認することができる。ユーザーがパターン１の輝度ポイントエリア１１、パターン２の輝度ポイントエリア１２、パターン３の輝度ポイントエリア１３、またはパターン４の輝度ポイントエリア１４のいずれかを選択してポイントすると、ポイントされたエリアの輝度で画面が再表示され、また、その輝度における視聴可能時間までコンテンツの表示が可能となる。
【００３８】
次に、ＡＢＬやＬＤに設定変更（以下、「アクティブ制御」という）されることにより算出した消費電力が、実際のバッテリー残量より少なくなりバッテリー残量に余力があるときの輝度を再び高くする処理について、図６と図７を用いて説明する。図６において、表示装置１００が外部電源から電力が供給されているときの消費電力がＡ、外部電源からの電力の供給が停止し内部電池１３０で駆動しているときの消費電力がＢ、設定が変更されたときの消費電力がＣ、消費電力Ｃにおいてバッテリー残量に余力があり輝度を再び高くしたときの消費電力がＤである。消費電力Ｃから予想されるバッテリーの使用電力量が実際のバッテリー残量より少なくなりバッテリー残量に余力が生じるときに、輝度を高くするための輝度制御をユーザー選択調整で行うようにする。ユーザーにより選択される輝度とその輝度における視聴可能時間を表示する画面を図７に示す。
【００３９】
図７（１）に示す画面は、輝度とその輝度における視聴可能時間を表示する以前の画面である。図７（２）に示す画面は、複数のパターンの輝度とその輝度における視聴可能時間を図７（１）の画面に重ねて表示した画面である。図７（２）では、パターンＡ、パターンＢ、及びパターンＣの３つのパターンが表示されている。パターンＡの輝度ポイントエリア２１に位置するＬＥＤが４つのパターンの中で最も輝度が高く（明るく）制御されるので、パターンＡの輝度における視聴可能時間は最も短い１０分となる。パターンＢの輝度ポイントエリア２２に位置するＬＥＤの輝度は、パターンＡの輝度より低く（暗く）制御されるので、パターンＢの輝度における視聴可能時間はパターンＡより長い３０分となる。パターンＣの輝度ポイントエリア２３に位置するＬＥＤの輝度は、パターンＢの輝度より低く制御されるので、パターンＣの輝度における視聴可能時間はパターンＢより長い４５分となる。また、パターンＡの輝度ポイントエリア２１、パターンＢの輝度ポイントエリア２２、及びパターンＣの輝度ポイントエリア２３に位置するエリア分割されたエッジ型ＬＥＤバックライト１５０により、これらのエリアの上に同じ輝度の短冊形状のエリアが表示されるので、各々のパターンによってユーザーが視聴しているコンテンツがどのような輝度で表示されるかを実際に確認することができる。ユーザーがパターンＡの輝度ポイントエリア２１、パターンＢの輝度ポイントエリア２２、またはパターンＣの輝度ポイントエリア２３のいずれかを選択してポイントすると、ポイントされたエリアの輝度で画面が再表示され、また、その輝度における視聴可能時間までコンテンツの表示が可能となる。
【００４０】
なお、実施形態においては、オフタイマが設定されている状態としたが、オフタイマ残り時間を考慮せずにコンテンツの終了時刻から視聴残時間（ｔ１）を算出することも可能である。また、オフタイマの時刻が設定されているかをチェックし、オフタイマの時刻が設定されているときにオフタイマ残り時間を考慮することも可能である。また、ユーザー選択調整の設定がされ、表示装置１００が内部電池の駆動に切り替えられたときに図５（２）の画面からユーザー選択による輝度制御を行うようにしたが、ユーザーの条件や表示装置１００の環境が変化したときに、ユーザー選択による輝度制御を行うことができる。例えば、視聴コンテンツの残り時間に合わせた輝度では暗い、視聴コンテンツを最後まで見ないので視聴可能時間を制限して輝度を明るくしたい、視聴コンテンツ以降も別のコンテンツの視聴がしたい、外部電源が復帰する予定なので現在視聴しているコンテンツの輝度を明るくしたいなど、ユーザーの条件や表示装置１００の環境が変化したときにも、図５（２）の画面からユーザー選択調整が可能である。また、表示装置１００は、エッジ型ＬＥＤバックライト１５０を備える構成としたが、短冊形状のエリア毎に輝度制御を行わないのであれば、エッジ型ＬＥＤバックライト１５０に限定されずＬＥＤバックライトでも実施可能である。
【００４１】
以上の実施形態の表示装置１００によれば、内部電池のバッテリー残量を使用して輝度制御を行うときに、自動輝度調整とするか、またはユーザーが選択した輝度と視聴可能時間の輝度調整とするかを設定することができる。また、ユーザーが選択した輝度と視聴可能時間の輝度調整が行われるときには、複数のパターンの輝度とその輝度における視聴可能時間をユーザーに分かりやすく提示できるので、ユーザーの嗜好に応じた最適な輝度と視聴可能時間で表示装置１００を駆動することができる。また、内部電池１３０のバッテリー残量に余力があるときには、バッテリー残量の余力を使用して輝度を高くするために、複数のパターンの輝度とその輝度における視聴可能時間をユーザーに分かりやすく提示することができる。また、実施形態の表示装置１００におけるエッジ型ＬＥＤバックライト１５０を複数エリアに分割して複数のエリア毎にエッジ型ＬＥＤが同じ輝度となるように制御するので、図５（２）または図７（２）に示すように、複数の輝度で輝度ポイントエリアおよび短冊形状のエリアを表示することができる。
【００４２】
本発明は、内部電池から電力供給が可能な表示装置において、外部からの電力供給が停止し内部電池のバッテリー残量で駆動しているときに、ユーザー自身が選択した最適な輝度と時間で駆動できる表示装置、及び表示装置のバックライト制御方法を提供できる。
【００４３】
以上、具体的な実施形態により本発明を説明したが、上記の実施形態は本発明の例示であり、それらの各構成要素の組み合わせにいろいろな変形例が可能なこと、またそうした変形例も本発明の範囲にあることは当業者に理解されるところである。
【産業上の利用可能性】
【００４４】
本発明は、表示装置に好適であるが、内蔵バッテリーを備え輝度制御が可能な表示器を有するあらゆる装置に適用可能である。
【符号の説明】
【００４５】
１１・・・・・パターン１の輝度ポイントエリア
１２・・・・・パターン２の輝度ポイントエリア
１３・・・・・パターン３の輝度ポイントエリア
１４・・・・・パターン４の輝度ポイントエリア
２１・・・・・パターンＡの輝度ポイントエリア
２２・・・・・パターンＢの輝度ポイントエリア
２３・・・・・パターンＣの輝度ポイントエリア
１００・・・・・表示装置
１１０・・・・・映像入力処理部
１２０・・・・・制御部
１２０ａ・・・・内部電池視聴制御処理部
１３０・・・・・内部電池
１４０・・・・・エッジ型ＬＥＤバックライトドライバ
１５０・・・・・エッジ型ＬＥＤバックライト
１６０・・・・・表示パネル
１７０・・・・・記憶部
１７０ａ・・・・ＥＰＧ情報保存エリア
１７０ｂ・・・・オフタイマ情報保存エリア
【図１】
2014182193.tif 000003
【図２】
2014182193.tif 000004
【図３】
2014182193.tif 000005
【図４】
2014182193.tif 000006
【図５】
2014182193.tif 000007
【図６】
2014182193.tif 000008
【図７】
2014182193.tif 000009